(57)【要約】      （修正有）【課題】危険の発生が避けられ、プラグを必要に応じてコンセント表面にピッタリ沿わせたり、コンセントと平行になるようにしたりでき、ひいては占有空間を間接的に減少し、安全性が高く、広いフレキシビリティを具え占有空間を減少する三極プラグを提供する。【解決手段】電極ブレード８と端子９と、挟持体７とを相互に可動可能に軸接続し、結合後の電極ブレードと端子とを上ケース２の軸受台２１内の収容部２３に配置し、電極ブレードと端子とが１８０度回転できるようにし、更に上カバー４、下カバー５で電極ブレード、端子及びコード本体１を覆い、プラグ回転時に電極ブレード、端子及びコード本体が内蔵されて露出しないようにした。【選択図】図５
0003105478.tif 000002
【実用新案登録請求の範囲】
【請求項１】
少なくとも一個以上の軸受台を設け、該軸受台に少なくとも一個以上の収容部を設けた上ケースと、
前記上ケースの下方に設置する下ケースと、
一端に被軸受部材を設け、該被軸受部材は軸受部材と相互に組み合わせることができ前記上ケースの軸受台に設けた収容部に配置される電極ブレードと、
一端に被軸受部材を設け、該被軸受部材は軸受部材と相互に組み合わせることができ前記上ケースの軸受台に設けた収容部に配置される端子と、
を備えて１８０度回転可能であることを特徴とする三極プラグ。
【請求項２】
前記被軸受部材は凸ピンとし、前記軸受部材は軸孔としたことを特徴とする請求項１に記載の三極プラグ。
【請求項３】
少なくとも一個以上の軸受台を設け、該軸受台に少なくとも一個以上の収容部を設け、更に該上ケースに少なくとも一個以上の溝を設けた上ケースと、
前記上ケースの下方に設置した下ケースと、
一端に少なくとも一個以上の弧形アームを設け、該弧形アームは前記上ケースの溝内に配置することが可能な上カバーと、
一端に少なくとも一個以上の弧形アームを設け、該弧形アームは前記上ケースの溝内に配置可能な下カバーと、
一端に凸ピンを設け、該凸ピンは軸孔と相互に組み合わせることが可能で前記上ケースの軸受台に設けた収容部に配置される電極ブレードと、
一端に凸ピンを設け、該凸ピンは軸孔と相互に組み合わせることが可能で前記上ケースの軸受台に設けた収容部に配置される端子と、
一端に軸孔を設けた少なくとも一つの挟持体と、
を備えて１８０度回転可能であることを特徴とする三極プラグ。
【考案の詳細な説明】
【技術分野】
【０００１】
本考案は、状況の必要性に応じて１８０度回転させることができ、特に広範な調整が可能で占用する空間を減少し、且つ回転時に電源コードが露出しないため高安全性でフレキシブルなプラグ構造に関する。
【背景技術】
【０００２】
従来のプラグの構造は、主に挟持部で軸プラグを挟む構成であるが、三極プラグに使用する（即ち接地端子を含む）場合、該プラグが大きく或いは長くなりがちである。
【０００３】
従来のプラグ構造は、可動空間があるものの、外包式であるため、つまり挟持部でプラグを軸に挟むため、プラグがハウジングに制限されてしまい、プラグの回転角度は１２０度に限られてしまい、コンセント表面にぴったりくっつけたり、コンセント面と平行にしたりすることは全くできない。
【０００４】
また、外包式であることで、プラグの回転時に、プラグ部によって間接的にハウジングとプラグ間のコードの一部とがプラグ外に露出してしまう。これは、長く使用するうちに酸化して被覆が破れれば、プラグはよく手でつかむ箇所であるから、これによる危険は想像に難くない。
【０００５】
更に、上述のプラグの構造は、回転角度が１２０度前後に限られるために、実際に占用空間を減少する効果を上げることはできない。かえって、コードが壁にぴったり沿わないで出っ張ってしまうため、歩くときにコードが出っ張ったところを蹴飛ばし易く、プラグが引き抜かれて電力が中断し、使用電気製品の寿命が短くなったり、コンピュータデータ遺失などといった問題が発生する。また、従来のプラグが回転すると、上述のように外包式でコードが露出するため、長い間にはコード外部の絶縁体がより破損し易くなり、もし周辺環境が高湿であれば、感電事故が更に起き易くなるといった不都合がある。
【特許文献１】台湾特許公告第４６４１０４号公報
【考案の開示】
【考案が解決しようとする課題】
【０００６】
本考案は、１８０度回転可能な三極プラグを提供することを課題とする。
【０００７】
状況の必要性に応じてプラグ本体自身を１８０度回転させて広い調整力を備え、コンセント表面にぴったり近づけたり、コンセントと平行にしたりできるようにし、ひいては間接的に占用空間を減少できる構造とする。
【０００８】
本考案はまた、電極ブレード及び端子を、挟持部材と可動可能に相互軸接続するようにし、これを上ケース軸受台内の収容部に配置することにより、電極ブレードと端子が多角度で回転動作できるようにする。
【０００９】
本考案は更に、上カバー、下カバーで電極ブレード、端子、挟持体及びコード本体を覆って、プラグ回転時に電源コードが内蔵されて露出しないようにし、よって危険の発生を避ける。
【課題を解決するための手段】
【００１０】
本考案は、電極ブレードと端子とを、挟持体と相互に可動に軸接続し、組み合わせた後の電極ブレードと端子を上ケースの軸受台内の収容部に配置して、電極ブレードと端子が１８０度回転できるようにし、更に上カバー、下カバーで電極ブレード、端子及びコード本体を覆い包んで、プラグ回転時に該電極ブレード、端子、及びコード本体が内蔵されて露出しないように構成した。これにより危険の発生を避けることができ、以上によりプラグ全体を状況の必要性に応じてコンセント表面にピッタリ沿わせたりコンセントと平行になるようにしたりでき、ひいては占有空間を間接的に減少し、高安全性、高フレキシビリティで占有空間を減少できるようになる。
【考案の効果】
【００１１】
本考案の三極プラグは、状況の必要性に応じて使用者が自分で多角度に回転調節でき、占有する空間を減少し、同時にコード本体が纏わり付く危険を減少して、歩くときに躓いたり、不注意にコード本体を蹴ってプラグが抜け落ちたりするのを防ぎ、これにより高安全性と利便性が達成される。
【００１２】
また、本考案は従来技術と比較して、以下の長所がある。
【００１３】
１  必要に応じて１８０度回転でき、占有空間が減少する。
【００１４】
２  不用意にコードを蹴り飛ばしてコードが抜けてしまうのを避けられる。
【００１５】
３  プラグ回転時に、上ケースと上カバー、下カバーがコードを覆って、コードが露出しないため、安全性が高い。
【００１６】
４  利便性と実用性が富む。
【００１７】
５  産業上の利用価値に富む。
【考案を実施するための最良の形態】
【００１８】
以下、図面を参照して本考案の実施例を説明する。
【実施例】
【００１９】
図１に示すように、本考案は１８０度回転可能な三極プラグであり、上ケース２を備えている。この上ケース２は、少なくとも一個以上の軸受台２１を有し、該軸受台２１に少なくとも一個以上の収容部２３を設けることにより、図２に示すように電極ブレード８及び端子９を内部に配置できるようにしている（図２に示す）。前記上ケース２は、さらに少なくとも一個以上の溝２２を有し、上カバー４、下カバー５に設けた弧形アーム４２、５２を前記溝２２に可動可能に配置するようになっている。
【００２０】
三極プラグは、下ケース３を備えている。この下ケース３は、前記上ケース２の下方に設置される。この下ケース３の両側には、それぞれ挿入孔３１を設け、該挿入孔３１に電極ブレード８を係入固定できるようにしている。また、この下ケース３の一端には、貫通孔３２を設けて、該貫通孔３２に前記端子９を係入固定できるようにしている。更に、前記下ケース３には、少なくとも一個以上の弧形切欠３３を設け、被軸受部材８１と被軸受部材９１とを引っ掛けて配置できるようにしている（図２に被軸受部材８１、９１を掛けて配置する状況を示す。）。
【００２１】
三極プラグは、さらに上カバー４を備えている。この上カバー４の一側には、複数の溝４１を設けて、挟持体６と挟持体７とを内部に配置できるようにしている。また、前記上カバー４の一端には、少なくとも一個以上の弧形アーム４２を設け、この弧形アーム４２によって電極ブレード８、端子９、挟持体６、７の結合部を覆っている。更に、前記上カバー４は、貫通して設けた数個の固定孔４３を有し、図７に示すように固定部材４４で前記上カバー４と下カバー５とを結合固定できるようにし、同時に視覚上の美化の効果も得ている。
【００２２】
三極プラグは、また下カバー５を備えている。この下カバー５の一側には、複数の溝５１を設けて、前記上カバー４と上下とに対応して、挟持体６と挟持体７とを内部に配置できるようにしている。また、この下カバー５の一端には、少なくとも一個以上の弧形アーム５２を設け、この弧形アーム５２と上カバー４の弧形アーム４２の位置を対応させて電極ブレード８と端子９の結合箇所を覆っている。更に、前記下カバー５には貫通して設けた数個の固定孔５３を有し、この固定孔５３を固定部材４４で覆い全体の視覚感覚を美化している。  
前記挟持体６の一端には、軸受部材６１を設けている。こ軸受部材６１は軸孔とすることができ、該軸受部材６１は端子９の被軸受部材９１と相互に可動可能に軸接続し、該挟持体６が多角度の回転調節ができるようにしている。また、この挟持体６の別の一端でコード本体１を挟持固定するようになっている。
【００２３】
前記挟持体７の一端には、軸受部材７１を設け、該軸受部材７１は軸孔とすることができ、該軸受部材７１は電極ブレード８の被軸受部材８１と相互に可動可能に軸接続し、該挟持体７が多角度の回転調整ができるようにしている。また、こ挟持体７の別の一端でコード本体１を挟持固定するようになっている。
【００２４】
前記電極ブレード８の一端には被軸受部材８１を設け、該被軸受部材８１は凸ピンとすることができ、該被軸受部材８１は挟持体７の軸受部材７１と相互に軸接続する。
【００２５】
前記端子９の一端には被軸受部材９１を設け、該被軸受部材９１は凸ピンとすることができ、該被軸受部材９１は挟持体６の軸受部材６と相互に軸接続する。
【００２６】
図２に電極ブレード８と端子９と下ケース３との結合を示す。前記電極ブレード８は、下ケース３の挿入孔３１内に配設され、該電極ブレード８の被軸受部材８１は、挟持体７の軸受部材７１と相互に穿設して軸接続し、軸接続すると一セットの独立した軸接続であるが回転可動状態を形成する。下ケース３に設ける弧形切欠３３は、各セットを引っ掛けて配置するようにし、各セットとも安定して緩まないようにする。
【００２７】
前記上ケース３の軸受台２１内の収容部２３は、被軸受部材８１と被軸受部材９１を覆って収容し、被軸受部材８１と被軸受部材９１が上ケース２と下ケース３とに覆われて固定するようにしている。装着後の状況を図４に示す。
【００２８】
図５に示すように、挟持体６及び挟持体７の一端は、コード本体１を挟持固定することができ、接地端子と電気導通に用いている。前記上カバー４と下カバー５は、上下に対応して組み合わせて内部空間を形成し、コード本体１を内部に設置できるようにし、軸接続箇所のコード本体１と挟持体６、挟持体７が内蔵されて露出されることがないようにしている。前記上カバー４、下カバー５の別の一端に設けた弧形アーム４２、弧形アーム５２は、軸受台２１上の溝２２に導入され、且つ上下を結合し、電極ブレード８と端子９と挟持体６、７を覆い包み、また上ケース２の軸受台２１と可動に軸接続する。以上の構成によって一実施例の三極プラグは、多角度回転ができ、更に使用時には壁にピッタリ沿うことができるから占有する空間が減少（図６、図８参照）し、同時に上ケース２と上カバー４、下カバー５内のコード本体１は内蔵されて露出しないようになり、美観と安全性が向上する。
【図面の簡単な説明】
【００２９】
【図１】本考案一実施例の三極プラグの構成部品の分解図である。
【図２】本考案一実施例の電極ブレードと端子と、下ケースとの結合図である。
【図３】本考案一実施例の上カバー、下カバーを組み合わせる前の、上ケース、下ケースの部分結合図である。
【図４】図３の組み立て後の斜視図である。
【図５】本考案一実施例の上カバー、下カバーの組み立て図である。
【図６】図４の組み立て後の斜視図である。
【図７】本考案一実施例の組み立てた状態を示し斜視図である。。
【図８】本考案一実施例のプラグの多角度回転動作を示す説明図である。
【符号の説明】
【００３０】
１   コード本体
２   上ケース
２１ 軸受台座
２２ 溝
２３ 収容部
３   下ケース
３１ 挿入孔
３２ 貫通孔
３３ 弧形切欠
４   上カバー
４１ 溝
４２ 弧形アーム
４２ 固定孔
４４ 固定部材
５   下カバー
５１ 溝
５２ 弧形アーム
５３固定孔
６   挟持体
６１ 軸受部材
７   挟持体
７１ 軸受部材
８   電極ブレード
８１ 被軸受部材
９端子
９１被軸受部材
１０コード保持部
代理人  弁理士    伊藤  進
【図１】
0003105478.tif 000003
【図２】
0003105478.tif 000004
【図３】
0003105478.tif 000005
【図４】
0003105478.tif 000006
【図５】
0003105478.tif 000007
【図６】
0003105478.tif 000008
【図７】
0003105478.tif 000009
【図８】
0003105478.tif 000010